(57)【要約】【課題】  新たな潤滑油の採用に伴う確認作業や、開発費用等の種々の不利益を回避することができるオイル性能の改善方法を提供する。【解決手段】  以下の化学式で表されるアルキルナフタレン化合物を既存のオイルに添加する、オイル性能の改善方法。【化１】2005330328.tif 000013（式中、Ｒ１、Ｒ２は、以下の化学式で表されるオレフィンの１〜１０量体からなるアルキル基であり、Ｒ１およびＲ２は、同一であっても異なっていてもよい。）【化２】2005330328.tif 000014（式中、Ｒ３は、炭素数６〜１０の直鎖または分岐鎖のアルキル基である。）【選択図】      なし【特許請求の範囲】
【請求項１】
以下の化学式で表されるアルキルナフタレン化合物を既存のオイルに添加する、オイル性能の改善方法。
【化１】
2005330328.tif 000009
（式中、Ｒ１、Ｒ２は、以下の化学式で表されるオレフィンの１〜１０量体からなるアルキル基であり、Ｒ１およびＲ２は、同一であっても異なっていてもよい。）
【化２】
2005330328.tif 000010
（式中、Ｒ３は、炭素数６〜１０の直鎖または分岐鎖のアルキル基である。）
【請求項２】
既存のオイルおよびアルキルナフタレン化合物の総量を基準として（１００質量％）、アルキルナフタレン化合物を１０〜３０質量％添加することを特徴とする請求項１に記載のオイル性能の改善方法。
【請求項３】
以下の化学式で表されるアルキルナフタレン化合物を含む、オイルの性能改善剤。
【化３】
2005330328.tif 000011
（式中、Ｒ１、Ｒ２は、以下の化学式で表されるオレフィンの１〜１０量体からなるアルキル基であり、Ｒ１およびＲ２は、同一であっても異なっていてもよい。）
【化４】
2005330328.tif 000012
（式中、Ｒ３は、炭素数６〜１０の直鎖または分岐鎖のアルキル基である。）
【発明の詳細な説明】
【技術分野】
【０００１】
本発明は、潤滑油等のオイルの性能を改善する方法に関する。
【背景技術】
【０００２】
現在、２万種類以上の潤滑油が、多種多様な設備機械、車両等に用いられており、その国内需要は１８０万キロリッターに及ぶ。現在用いられている潤滑油は、大部分が鉱物油系の潤滑油であり、多種多様な設備機械のそれぞれに、過去の実績、経験等により最適な潤滑油が選択され、使用されている。
【０００３】
ここで、上記の設備機械はメンテナンスフリーであることが要求されてきており、設備機械に用いる潤滑油は、寿命が長いことが求められている。また、設備機械が高度化し、潤滑油が過酷な条件下において使用される状況が生じているため、従来よりも高性能の潤滑油が必要とされている。このような要求を満たすものとして、合成油をベース（基油）とした潤滑油が注目されている。
【発明の開示】
【発明が解決しようとする課題】
【０００４】
しかし、高性能の潤滑油として、新たに合成油をベースとした潤滑油（以下、単に「合成油」という。）を採用する場合、それぞれの設備機械について、どの合成油が最適であるのかを確認する必要があり、作業が煩雑となる。例えば、機械のシール部分のパッキンに収縮等の悪影響を及ぼさないかについて確認する必要があり、場合によっては、異なる材質のパッキンに取り替える必要が生じる。また、現在使用している潤滑油を完全に抜き取ることは不可能であるので、現在使用している潤滑油と合成油との混合使用の是非について確認する必要が生じる。
【０００５】
また、それぞれの合成油の開発には、配合を決定する作業に膨大な時間と費用が必要である。よって、合成油は高価なものとなり、これを採用するのは経済性が悪い。また、多数存在する設備機械の一部に合成油を導入した場合、従来から存在する油種に新たに合成油の油種が追加され、現場で多数の油種を管理する必要が生じる。
【０００６】
そこで、本発明は、このような問題が生じない、現場において現在使用されている既存の潤滑油をそのまま使用しつつ、その性能を向上させることができる簡易な方法を提供することを課題とする。
【課題を解決するための手段】
【０００７】
新たな潤滑油の採用に伴う確認作業や、新しい配合の合成油の開発には、膨大な費用・時間・労力等が必要となる。本発明者は、これらの種々の不利益を回避することができる方法について鋭意検討した結果、アルキルナフタレン化合物を所定の方法にて使用すれば、現状の潤滑油を変更しないで、これをそのまま使用しつつ、その性能を簡易な方法で向上することができるオイル性能の改善方法を見出し、以下の発明を完成した。
【０００８】
以下、本発明について説明する。
第一の本発明は、以下の化学式で表されるアルキルナフタレン化合物を既存のオイルに添加する、オイル性能の改善方法である。
【０００９】
【化１】
2005330328.tif 000002
（式中、Ｒ１、Ｒ２は、以下の化学式で表されるオレフィンの１〜１０量体からなるアルキル基であり、Ｒ１およびＲ２は、同一であっても異なっていてもよい。）
【００１０】
【化２】
2005330328.tif 000003
（式中、Ｒ３は、炭素数６〜１０の直鎖または分岐鎖のアルキル基である。）
【００１１】
上記オイル性能の改善方法において、既存のオイルおよびアルキルナフタレン化合物の総量を基準として（１００質量％）、アルキルナフタレン化合物を１０〜３０質量％添加することが好ましい。
【００１２】
第二の本発明は、以下の化学式で表されるアルキルナフタレン化合物を含む、オイルの性能改善剤である。
【００１３】
【化３】
2005330328.tif 000004
（式中、Ｒ１、Ｒ２は、以下の化学式で表されるオレフィンの１〜１０量体からなるアルキル基であり、Ｒ１およびＲ２は、同一であっても異なっていてもよい。）
【００１４】
【化４】
2005330328.tif 000005
（式中、Ｒ３は、炭素数６〜１０の直鎖または分岐鎖のアルキル基である。）
【発明の効果】
【００１５】
それぞれの設備機械には、過去の実績から選択された最適な潤滑油が用いられている。本発明の方法によれば、この最適な潤滑油をそのまま使用して、さらにその潤滑性、耐摩耗性等の性能を向上させることができる。このように、新たな潤滑油を採用するのではなく、従来から用いられている最適な潤滑油をそのまま使用しているので、設備機械に対して適合するかどうかの確認作業をする必要がなく、簡便に潤滑油の性能を向上させることができる。
【００１６】
さらに、本発明の方法によると、潤滑油の寿命を長くすることができ、メンテナンスフリーの効果を得ることができる。また、潤滑油の寿命が長くなることによって、廃油を排出する回数が減少するので、本発明は環境面においても好ましい。また、現場における油種管理に、新たな手間を生じさせない。
【発明を実施するための最良の形態】
【００１７】
本発明のオイル性能の改善方法において用いるアルキルナフタレン化合物とは、以下の化学式で表される化合物である。
【００１８】
【化５】
2005330328.tif 000006
【００１９】
上記化学式において、Ｒ１、Ｒ２とは、以下の化学式で表されるオレフィンの１〜１０量体からなるアルキル基であり、好ましくは、以下の化学式で表されるオレフィンの１〜１０量体がα結合したアルキル基であり、さらに好ましくは、以下の化学式で表されるオレフィンの１〜３量体がα結合したアルキル基であり、Ｒ１およびＲ２は、同一であっても異なっていてもよい。
【００２０】
【化６】
2005330328.tif 000007
【００２１】
上記化学式において、Ｒ３とは、炭素数６〜１０の直鎖または分岐鎖のアルキル基であり、好ましくは、炭素数８の直鎖または分岐鎖のアルキル基であり、より好ましくは、炭素数８の直鎖のアルキル基である。
【００２２】
アルキルナフタレン化合物の具体例としては、オレフィンであるデセンの１〜２量体をＲ１およびＲ２として有するアルキルナフタレン化合物を挙げることができる。このアルキルナフタレン化合物は、１００℃で５ｃＳｔ（ｍｍ２／ｓ）の動粘度を有していることより、以下、「ＡＮ−５アルキルナフタレン化合物」または「ＡＮ−５」という場合がある。このようなアルキルナフタレン化合物としては、例えば、「Ｓｙｎｅｓｓｔｉｃ  ５」（エクソンモービル化学社製）が市販されている。
【００２３】
また、アルキルナフタレン化合物の具体例としては、オレフィンであるデセンの２〜３量体をＲ１およびＲ２として有するアルキルナフタレン化合物を挙げることができる。このアルキルナフタレン化合物は、１００℃で１２ｃＳｔ（ｍｍ２／ｓ）の動粘度を有していることより、以下、「ＡＮ−１２アルキルナフタレン化合物」または「ＡＮ−１２」という場合がある。このようなアルキルナフタレン化合物としては、例えば、「Ｓｙｎｅｓｓｔｉｃ  １２」（エクソンモービル化学社製）が市販されている。
【００２４】
本発明者は、上記のアルキルナフタレン化合物は、化合物中のナフタレン部分に由来する効果（ナフタレン効果）と、アルキル基部分に由来する効果（アルキル基効果）の二つの効果を併せ持っていると考えている。ここで、ナフタレン効果とは、例えば、金属と金属が触れ合う部分において、潤滑油が高圧条件にさらされる場合に、潤滑油が瞬間的に高粘度化して強固な油膜を形成する効果をいい、かつ、潤滑油の寿命を延長することができる酸化防止剤としての効果をいう。また、アルキル基効果とは、例えば油性剤等の添加剤としての効果をいい、このアルキル基効果によって、摩擦係数の低減や、磨耗防止効果が得られるものと考えられる。
【００２５】
本発明において、上記のＡＮ−５アルキルナフタレン化合物を用いた場合は、ナフタレン効果が大きく発現され、上記のＡＮ−１２アルキルナフタレン化合物を用いた場合は、アルキル基効果が大きく発現される傾向がある。
【００２６】
本発明のアルキルナフタレン化合物は、ナフタレンとオレフィンとを反応させることにより合成することができる。オレフィンは、一種類を単独で用いてもよいし、または二種類以上を混合して用いてもよい。
【００２７】
本発明において、性能を改善する対象である既存のオイルとは、既存の設備機械等において用いられている種々の潤滑油をいい、例えば、エンジン油、ＡＴＦ・ギアー油等の車両用潤滑油、油圧作動油、ギアー油、軸受油、冷凍機油、タービン油、ダンパー油、コンプレッサー油、真空ポンプ油、摺動面油等の工業用潤滑油、切削・研削油、塑性加工油、圧延油、放電加工油等の金属加工油、焼き入れ油、絶縁油、コンデンサー油、熱媒体油等のその他の潤滑油が挙げられる。
【００２８】
これら既存のオイルにアルキルナフタレン化合物を添加する方法としては、現在、使用している設備機械等において使用されている既存のオイルに、所定量のアルキルナフタレン化合物を後から添加（補給）する方法が挙げられる。そして、添加した後に、機械を作動すれば、機械内部において、既存のオイルとアルキルナフタレン化合物が混合される。
【００２９】
このように、本発明のオイル性能の改善方法は、所定量のアルキルナフタレン化合物を、後から添加するだけで、既存のオイルの性能を改善できる、簡便な方法である。また、現在使用されている最適な配合の潤滑油（既存のオイル）をそのまま使用しているので、既存の潤滑油の性能を保持したまま、潤滑性、境界潤滑性等の性能をさらに向上させることができる。また、潤滑油の性能が低下してきた時点において、適宜、数度に分けてアルキルナフタレン化合物を添加することもできる。
【００３０】
また、設備機械等に新たに潤滑油を導入しようとする場合は、導入しようとする潤滑油に、所定量のアルキルナフタレン化合物をあらかじめ添加してから、これらの混合物を設備機械等に導入することができる。
【００３１】
既存のオイルへの、アルキルナフタレン化合物の添加量としては、既存のオイルおよびアルキルナフタレン化合物の総量を基準として（１００質量％）、アルキルナフタレン化合物を５〜５０質量％添加するのが好ましく、さらには、１０〜３０質量％添加することがより好ましい。添加量が少なすぎると、アルキルナフタレンの効果が発揮されにくくなる。また、添加量が多すぎると、アルキルナフタレンの効果が飽和すると共に、経済的に好ましくない。
【００３２】
図１に、７８質量部のポリアルファオレフィン（ＰＡＯ）（１００℃での動粘度：６ｃＳｔ（ｍｍ２／ｓ）、以下同様。）に対して、アジピン酸エステルを２０質量部加えた場合と、ＡＮ−５アルキルナフタレン化合物（ＡＮ−５）を２０質量部加えた場合の、耐磨耗試験の結果を示す（それぞれの潤滑油には、２質量部の酸化防止・錆止め剤等の添加剤が添加されている。）。この耐摩耗性試験は、４−Ｂａｌｌ  Ｗｅａｒ  Ｔｅｓｔにより行われたものである（回転数：１８００ｒｐｍ、雰囲気温度：９３℃、試験時間：３０分）。図１によると、５９０Ｎ（６０ｋｇｆ）の荷重をかけた場合、アジピン酸エステルを加えたときの磨耗痕の大きさは０．８２２ｍｍであるのに対して、アルキルナフタレン化合物を加えたときの磨耗痕の大きさは０．７３９ｍｍであり、アルキルナフタレン化合物を加えることで耐摩耗性（潤滑性）が向上することが示された。また、７８０Ｎ（８０ｋｇｆ）の荷重をかけた場合、アジピン酸エステルを加えたときの磨耗痕の大きさは２．０９４ｍｍであるのに対して、アルキルナフタレン化合物を加えたときの磨耗痕の大きさは０．８２２ｍｍであった。このように、本発明の方法において、アルキルナフタレン化合物を添加することによって、特に高圧化における耐摩耗性（潤滑性）を向上させることができる。
【００３３】
図２に本発明において用いるアルキルナフタレン化合物の酸化安定度試験（ＲＢＯＴ）の結果を示す。この酸化安定度試験は、ＪＩＳ−Ｋ  ２５１４に準拠して行われたものである。図２によると、ポリアルファオレフィン（ＰＡＯ）１００％の潤滑油では、潤滑油の寿命を示すＲＢＯＴ値は１８分であるのに対して、ＡＮ−５アルキルナフタレン化合物（ＡＮ−５）を２５質量％添加した場合は、ＲＢＯＴ値が１６０分となり、潤滑油の寿命は約９倍となる。また、ＡＮ−１２アルキルナフタレン化合物（ＡＮ−１２）を２５％加えた場合は、ＲＢＯＴ値が１１８分となる。このように、既存のオイルに所定量のアルキルナフタレン化合物を添加すると、既存のオイル（潤滑油）の寿命は大幅に延長される。
【００３４】
従来から用いられている潤滑油には、酸化防止剤、防錆剤、清浄分散剤、流動点降下剤等の添加剤が含まれている。本発明において用いるアルキルナフタレン化合物は、低極性であるので、これらの添加剤に対して影響を与えず、これらの添加剤の効果を妨げない。
【００３５】
また、本発明において用いるアルキルナフタレン化合物は、既存のオイル（潤滑油）中の基油に完全に溶解する。よって、潤滑油として使用する際に、均一な分散状態を維持することができる。
【００３６】
図３にＡＮ−５アルキルナフタレン化合物（ＡＮ−５）およびＡＮ−１２アルキルナフタレン化合物（ＡＮ−１２）、並びにＰＡＯ等の溶解パラメータを示す。また、図４にＡＮ−５アルキルナフタレン化合物（ＡＮ−５）およびＡＮ−１２アルキルナフタレン化合物（ＡＮ−１２）、並びにＰＡＯ等のアニリン点を示す。図３によると、アルキルナフタレン化合物は、ＰＡＯに比べて、高い溶解パラメータを示し、その値はエステルと同程度の高い値である。また、図４によると、アルキルナフタレン化合物は、ＰＡＯに比べて、低いアニリン点を示している。このように、本発明において用いるアルキルナフタレン化合物の溶解性は高く、既存のオイルにこれを添加することで、既存のオイルの溶解性が向上すると考えられる。
【００３７】
ここで、潤滑油、特に高級潤滑油には、その機能性を向上させるために、上記した添加剤を多量に含んでいる。このような潤滑油においては、温度変化によってこれらの添加剤が析出する問題が生じる場合がある。しかし、本発明において用いるアルキルナフタレン化合物が高い溶解性を有することから、本発明のオイル性能の改善方法によれば、析出した不溶解成分を溶かすことができる。これにより、添加物が析出して生じるフィルターの閉塞を防止することができる。
【００３８】
図５にアルキルナフタレン化合物のエラストマー適合性を示す。設備機械等に用いられているオイルシール部分のパッキンは、エラストマーで形成されており、密閉性を確保するために潤滑油に対して適度な膨潤性を有していることが理想とされている。図５に示すように、ポリアルファオレフィン（ＰＡＯ）１００％の潤滑油を用いた場合は、ブナＮ製オイルシール材は収縮しており、エラストマー適合性は劣ったものである。これに対して、アルキルナフタレン化合物を添加した場合は、ブナＮ製オイルシール材は適度に膨潤し、エラストマー適合性は良好である。
【００３９】
アルキルナフタレン化合物は、潤滑油の熱劣化、酸化劣化を防ぐことができる。また、アルキルナフタレン化合物における、アルキル基部分による潤滑性の向上と、ナフタレン部分による境界潤滑性の向上による相乗効果により、潤滑油の性能が向上する。ここで、境界潤滑性とは、潤滑性を付与しようとしている金属表面間の境界部分の潤滑性をいい、この境界部分において、潤滑油が瞬間的に高温、高圧にさらされたときに、その粘度を急上昇させ、強い油膜を形成することによって潤滑性を維持することができる性能をいう。
【００４０】
本発明のオイルの性能改善剤とは、上記したアルキルナフタレン化合物を含んだ構成を有しており、好ましくは、上記したアルキルナフタレン化合物を主成分として含んだ構成を有している。ここで、「主成分として含む」とは、オイル性能改善剤の全体の質量（１００質量％）に対して、アルキルナフタレン化合物が５０質量％以上であることをいう。本発明のオイルの性能改善剤を既存のオイルに添加することにより、オイルの性能を向上させることができる。
【００４１】
本発明のオイルの性能改善剤は、アルキルナフタレン化合物以外に、通常の潤滑油添加剤と使用される各種の添加剤を含んでいてもよい。各種の添加剤としては、例えば、酸化防止剤、防錆剤、消泡剤、清浄剤、分散剤、磨耗防止剤、摩擦係数調整剤、極圧剤、流動点降下剤、粘度指数向上剤、金属不活性剤等が上げられる。
【実施例】
【００４２】
（実施例１）
既存のオイルとして、放電加工油（商品名：レクター３７（エクソンモービル有限会社製））（９０質量部）を用いて、これにＡＮ−５アルキルナフタレン化合物（商品名：Ｓｙｎｅｓｓｔｉｃ  ５（エクソンモービル化学社製））を１０質量部添加した。そして、得られた潤滑油に対して種々の評価を行った。結果を表１に示す。
【００４３】
（実施例２）
既存のオイルとして、油圧作動油（商品名：ユニパワー３２（エクソンモービル有限会社製））（９０質量部）を用いて、これにＡＮ−５アルキルナフタレン化合物（商品名：Ｓｙｎｅｓｓｔｉｃ  ５（エクソンモービル化学社製））を１０質量部添加した。そして、得られた潤滑油に対して種々の評価を行った。結果を表１に示す。
【００４４】
（実施例３）
既存のオイルとして、油圧作動油（商品名：ユニパワー３２（エクソンモービル有限会社製）（８０質量部）を用いて、これにＡＮ−５アルキルナフタレン化合物（商品名：Ｓｙｎｅｓｓｔｉｃ  ５（エクソンモービル化学社製））を２０質量部添加した。そして、得られた潤滑油に対して種々の評価を行った。結果を表１に示す。
【００４５】
（実施例４）
既存のオイルとして、工業用ギアー油（ＧＬ３クラス）（商品名：スパルタンＥＰ１００（エクソンモービル有限会社製）（８０質量部）を用いて、これにＡＮ−１２アルキルナフタレン化合物（商品名：Ｓｙｎｅｓｓｔｉｃ  １２（エクソンモービル化学社製））を２０質量部添加した。そして、得られた潤滑油に対して種々の評価を行った。結果を表１に示す。
【００４６】
（比較例１）
アルキルナフタレン化合物を添加しないで、放電加工油（商品名：レクター３７（エクソンモービル有限会社製））に対して、種々の評価を行った。結果を表１に示す。
【００４７】
（比較例２）
アルキルナフタレン化合物を添加しないで、油圧・タービン油（商品名：ユニパワー３２（エクソンモービル有限会社製））に対して、種々の評価を行った。結果を表１に示す。
【００４８】
（比較例３）
アルキルナフタレン化合物を添加しないで、工業用ギアー油（商品名：スパルタンＥＰ１００（エクソンモービル有限会社製））に対して、種々の評価を行った。結果を表１に示す。
【００４９】
（一般性状の評価）
（１）密度
ＪＩＳ−Ｋ  ２２４９に準拠して、それぞれの潤滑油について密度を測定した。
【００５０】
（２）動粘度
ＪＩＳ−Ｋ  ２２８３に準拠して、それぞれの潤滑油について、４０℃および１００℃における動粘度を測定した。
【００５１】
（３）粘度指数
ＪＩＳ−Ｋ  ２２８３に準拠して、それぞれの潤滑油について、粘度指数を算出した。
【００５２】
（４）全酸価
ＪＩＳ−Ｋ  ２５０１に準拠して、それぞれの潤滑油について、全酸価を測定した。
【００５３】
（性能評価）
（１）酸化安定度試験（ＲＢＯＴ）
ＪＩＳ−Ｋ  ２５１４に準拠して、それぞれの潤滑油について酸化安定度試験（ＲＢＯＴ）を行った。
【００５４】
（２）ファレックス試験（焼付荷重試験）
ＡＳＴＭ  Ｄ３２３３Ａ法に準拠して、それぞれの潤滑油についてファレックス試験（焼付荷重試験）を行った。
【００５５】
（３）ファレックス試験（磨耗試験）
ＡＳＴＭ  Ｄ２６７０に準拠して、それぞれの潤滑油についてファレックス試験（磨耗試験）を行った。
【００５６】
【表１】
2005330328.tif 000008
【００５７】
（評価結果）
【００５８】
表１より、潤滑油の一般性状については、アルキルナフタレン化合物の添加の前後で、大きな違いは見られなかった。潤滑油の性能評価については、放電加工油の寿命（ＲＢＯＴ値（分））は、アルキルナフタレン化合物を添加することによって、大幅に延長されたことがわかった（実施例１、比較例１）。また、油圧作動油の寿命（ＲＢＯＴ値（分））は、アルキルナフタレン化合物を添加することによって、大幅に延長されたことがわかった（実施例２、実施例３、比較例２）。また、ファレックス焼付荷重が大きくなり、潤滑性能、特に、境界潤滑性能が向上することがわかった（実施例２、実施例３、比較例２）。
【００５９】
また、工業用ギアー油においては、アルキルナフタレン化合物を添加することによって、ファレックス焼付荷重が大きくなり、ファレックス摩擦係数が小さくなって、潤滑性能、特に、境界潤滑性能が向上することがわかった（実施例４、比較例３）。
【００６０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うオイル性能の改善方法およびオイルの性能改善剤もまた本発明の技術的範囲に包含されるものとして理解されなければならない。
【図面の簡単な説明】
【００６１】
【図１】潤滑油の耐摩耗性（潤滑性）を示す図である。
【図２】潤滑油の酸化安定性を示す図である。
【図３】本発明において用いるアルキルナフタレン化合物等の溶解度パラメータを示す図である。
【図４】本発明において用いるアルキルナフタレン化合物等のアニリン点を示す図である。
【図５】潤滑油のエラストマー適合性を示す図である。
【図１】
2005330328.tif 000015
【図２】
2005330328.tif 000016
【図３】
2005330328.tif 000017
【図４】
2005330328.tif 000018
【図５】
2005330328.tif 000019